(57)【要約】【課題】この発明は、部品点数を削減するとともに、ＦＯＴ７０を容易に保護することができるメス型コネクタハウジング３０、及びメス型光コネクタ２０を提供することを目的とする。【解決手段】光ファイバケーブルを介して伝搬光を受光および発信するＦＯＴ７０を収容保持するとともに、光ファイバケーブルに装着したオス型コネクタの嵌着を許容するメス型コネクタハウジング３０であって、メス型コネクタハウジング３０を、オス型コネクタの嵌着を許容する嵌着部３１と、嵌着部３１からオス型コネクタの嵌着方向に延設するとともに、ＦＯＴ７０を内部に収容保持する素子収容部３２と、素子収容部３２から延設するとともに、内部に収容保持されるＦＯＴ７０を嵌着方向に対して逆方向から保護する後面保護部３３とで一体にして形成したことを特徴とする。【選択図】図３
2014074857.tif 000002
【特許請求の範囲】
【請求項１】
光ファイバケーブルを介して光信号を受光または／および発信する光学素子を収容保持するとともに、前記光ファイバケーブルに装着したコネクタの嵌着を許容するコネクタハウジングであって、
前記コネクタハウジングを、
前記コネクタの嵌着を許容する嵌着部と、
該嵌着部から前記コネクタの嵌着方向に延設するとともに、前記光学素子を内部に収容保持する素子収容部と、
該素子収容部から延設するとともに、内部に収容保持される前記光学素子を前記嵌着方向に対して逆方向から保護する保護部とで一体にして形成した
コネクタハウジング。
【請求項２】
前記コネクタハウジングの前記素子収容部を、
前記コネクタの前記嵌着方向に開口部を設けて、前記嵌着部から前記嵌着方向に延設して形成し、
前記保護部を、
前記開口部を閉塞可能な形状に形成した閉塞部と、
可撓性を有して前記素子収容部、及び前記閉塞部を連結する連結部とで構成した
請求項１に記載のコネクタハウジング。
【請求項３】
前記コネクタハウジングに、
前記嵌着方向と逆方向に前記光学素子を付勢する付勢手段を備えた
請求項１または請求項２に記載のコネクタハウジング。
【請求項４】
請求項１から請求項３のいずれか１つのコネクタハウジングに、
光ファイバケーブルを介して光信号を受光または／および発信する光学素子を収容した
光コネクタ。
【請求項５】
少なくとも前記コネクタハウジングの前記素子収容部を囲繞するとともに、前記コネクタハウジングの前記保護部を前記嵌着方向と逆方向に付勢する付勢部材を備えた
請求項４に記載の光コネクタ。
【発明の詳細な説明】
【技術分野】
【０００１】
この発明は、例えば、制御信号、画像信号、音声信号等の情報信号の伝送に使用される光伝送路を構成するコネクタハウジング、及び光コネクタに関する。
【背景技術】
【０００２】
近年の車両内での制御信号、画像信号、音声信号等の通信情報量の増大に伴い、情報信号の伝送に使用される伝送路には、従来のメタルケーブルに代えて、光ファイバケーブルが用いられている。  
そして、この光ファイバケーブルを用いた光伝送路において、光ファイバケーブルを通信対象となる装置に接続する場合、光ファイバケーブルの端部に備えた光コネクタを介して接続される。
【０００３】
例えば、通信対象となる装置と光ファイバケーブルとを接続する場合、配線基板等に接続される光素子で構成したＦＯＴ（Fiber  Optical  Transceiver）を組み付けた雌型コネクタと、光ファイバケーブルが接続された雄型コネクタとを凹凸嵌合して接続することで、光伝送路を構成している（特許文献１参照）。
【０００４】
この際、雌型コネクタは、雄型コネクタの光ファイバケーブルからの伝搬光をＦＯＴに確実に伝送するため、ＦＯＴとコネクタハウジングとの相対的な位置ズレを抑制する必要がある。このため、特許文献１の雌型コネクタには、バネ機構によってＦＯＴを雄型コネクタ側へ付勢して、ＦＯＴとコネクタハウジングとの相対的な位置ズレを抑制する金属ケースを備えている。
【０００５】
ところが、特許文献１の雌型コネクタでは、ＦＯＴを組み付けた雌型コネクタハウジングに金属ケースを被せる際、金属ケースとＦＯＴとが直接接触するため、ＦＯＴが損傷するおそれがあった。
【０００６】
そこで、図７に示すように、受信用レンズ５０、送信用レンズ６０、ＦＯＴ７０、及びＦＯＴ７０の後面にスペーサ１００を収容したメス型コネクタハウジング１３０に対して、金属ケースであるシールドケース４０を被着することで、ＦＯＴ７０とシールドケース４０とが直接接触することをスペーサ１００で阻止して、ＦＯＴ７０の損傷を防止することができる。  
しかしながら、スペーサ１００を設けたことで、部品点数が増加するとともに、組付け工数が増加するという問題があった。
【先行技術文献】
【特許文献】
【０００７】
【特許文献１】特開２００２−２５０８４３号公報
【発明の概要】
【発明が解決しようとする課題】
【０００８】
この発明は、上述の問題に鑑み、部品点数を削減するとともに、光学素子を容易に保護することができるコネクタハウジング、及び光コネクタを提供することを目的とする。
【課題を解決するための手段】
【０００９】
この発明は、光ファイバケーブルを介して光信号を受光または／および発信する光学素子を収容保持するとともに、前記光ファイバケーブルに装着したコネクタの嵌着を許容するコネクタハウジングであって、前記コネクタハウジングを、前記コネクタの嵌着を許容する嵌着部と、該嵌着部から前記コネクタの嵌着方向に延設するとともに、前記光学素子を内部に収容保持する素子収容部と、該素子収容部から延設するとともに、内部に収容保持される前記光学素子を前記嵌着方向に対して逆方向から保護する保護部とで一体にして形成したことを特徴とする。
【００１０】
この発明により、部品点数を削減するとともに、光学素子を容易に保護できるコネクタハウジングを構成することができる。これにより、コネクタハウジングは、光学素子を組み付ける際の組付け工数の削減、及びコストの増加を抑制することができる。
【００１１】
さらに、例えば、コネクタハウジングとは別体で構成したスペーサなどで光学素子を保護する場合、スペーサの組み付け忘れが生じるおそれがあるのに対して、コネクタハウジングに保護部を一体に形成したことにより、コネクタハウジングは、光学素子を保護する部品の組み付け忘れが生じることを防止できる。
【００１２】
さらにまた、例えば、コネクタハウジングとは別体で構成したスペーサで光学素子を保護するとともに、コネクタハウジングに金属ケースを被せる場合、スペーサが脱落しないようにコネクタハウジングに金属ケースを被せる必要がある。
【００１３】
これに対して、コネクタハウジングに保護部を一体に形成したことにより、コネクタハウジングは、保護部が脱落することがないため、金属ケースなどを容易に被せることができる。
【００１４】
これにより、例えば、コネクタハウジングと光学素子との相対的な位置ズレを抑制するために光学素子を付勢する金属ケースなどでコネクタハウジングを覆う場合であっても、コネクタハウジングは、光学素子を保護するとともに、組付け性の向上を図ることができる。  
従って、コネクタハウジングは、部品点数を削減するとともに、組付け性を向上して、光学素子を容易に保護することができる。
【００１５】
この発明の態様として、前記コネクタハウジングの前記素子収容部を、前記コネクタの前記嵌着方向に開口部を設けて、前記嵌着部から前記嵌着方向に延設して形成し、前記保護部を、前記開口部を閉塞可能な形状に形成した閉塞部と、可撓性を有して前記素子収容部、及び前記閉塞部を連結する連結部とで構成することができる。
【００１６】
この発明により、光学素子を組み付ける際のスペースを確保するとともに、開口部を容易に閉塞することができる。より詳しくは、コネクタハウジングに光学素子を組み付ける際、素子収容部の開口部によって、光学素子を素子収容部に容易に組み付けることができる。そして、可撓性の連結部を折り曲げることで、嵌着方向とは逆方向から光学素子を閉塞部で保護することができる。
【００１７】
これにより、コネクタハウジングは、素子収容部に保護部を一体に形成したことで、光学素子の組付け性が低下することを防止できる。  
従って、コネクタハウジングは、部品点数を削減するとともに、光学素子の組み付け性を確保することができる。
【００１８】
また、この発明の態様として、前記コネクタハウジングに、前記嵌着方向と逆方向に前記光学素子を付勢する付勢手段を備えることができる。  
上記付勢手段は、素子収容部に嵌合固定した肉厚の保護部、あるいは保護部に一体して形成した弾性を有するバネ片などとすることができる。
【００１９】
この発明により、コネクタハウジングは、金属ケースのような別部材を不要にして、光学素子を付勢することができる。これにより、コネクタハウジングは、光学素子との相対的な位置ズレを抑制することができる。  
従って、コネクタハウジングは、部品点数を削減して、光学素子を保護するとともに、付勢手段によって光学素子との位置ズレを抑制することができる。
【００２０】
また、この発明は、上記のコネクタハウジングに、光ファイバケーブルを介して光信号を受光または／および発信する光学素子を収容した光コネクタであることを特徴とする。  
この発明により、部品点数を削減するとともに、光学素子を容易に保護できる光コネクタを構成することができる。
【００２１】
また、この発明の態様として、少なくとも前記コネクタハウジングの前記素子収容部を囲繞するとともに、前記コネクタハウジングの前記保護部を前記嵌着方向と逆方向に付勢する付勢部材を備えることができる。  
この発明により、保護部を介してコネクタハウジングに収容保持した光学素子を付勢することができる。このため、光コネクタは、コネクタハウジングと光学素子との相対的な位置ズレを抑制することができる。
【００２２】
さらに、例えば、コネクタハウジングに光学素子を付勢する付勢手段を予め備えた場合、コネクタハウジングにおける付勢手段の付勢力と付勢部材の付勢力とが協働して、コネクタハウジングと光学素子との相対的な位置ズレを抑制することができる。
【００２３】
このため、例えば、コネクタハウジングに光学素子を組み付ける際、コネクタハウジングにおける付勢手段の付勢力で光学素子を仮組みすることができ、コネクタハウジングから光学素子が脱落することを阻止できる。そして、付勢部材の付勢力によって、光学素子を付勢して位置ズレを抑制することができる。つまり、コネクタハウジングに光学素子、及び付勢部材を組み付ける際、光コネクタは、コネクタハウジングにおける付勢手段の付勢力と付勢部材の付勢力とが協働することで、光学素子、及び付勢部材の組付け性を向上することができる。
【００２４】
これにより、コネクタハウジングに光学素子を付勢する付勢手段を予め備えた場合であっても、光コネクタは、光学素子、及び付勢部材の組付けを容易にするとともに、コネクタハウジングと光学素子との相対的な位置ズレを抑制することができる。  
従って、光コネクタは、付勢部材によって、光学素子を損傷することなく、コネクタハウジングと光学素子との相対的な位置ズレを確実に抑制することができる。
【発明の効果】
【００２５】
この発明により、部品点数を削減するとともに、光学素子を容易に保護できるコネクタハウジング、及び光コネクタを提供することができる。
【図面の簡単な説明】
【００２６】
【図１】メス型光コネクタ付基板における前方視からの外観を示す外観斜視図。
【図２】メス型光コネクタ付基板における後方視からの外観を示す外観斜視図。
【図３】メス型光コネクタ付基板における構成要素の後方視からの外観を示す分解斜視図。
【図４】図２中のＡ−Ａ矢視断面図。
【図５】別のメス型コネクタハウジングにおける後方視からの外観を示す外観斜視図。
【図６】別のメス型光コネクタにおける断面を示す断面図。
【図７】従来のメス型光コネクタ付基板における構成要素の後方視からの外観を示す分解斜視図。
【発明を実施するための形態】
【００２７】
この発明の一実施形態を以下図面と共に説明する。  
なお、図１はメス型光コネクタ付基板１における前方視からの外観斜視図を示し、図２はメス型光コネクタ付基板１における後方視からの外観斜視図を示し、図３はメス型光コネクタ付基板１における構成要素の後方視からの分解斜視図を示し、図４は図２中のＡ−Ａ矢視断面図を示している。
【００２８】
また、図中において、矢印Ｘは長手方向を示し（以下「長手方向Ｘ」とする）、矢印Ｙは幅方向を示している（以下、「幅方向Ｙ」とする）。さらに、長手方向Ｘにおいて、後述する嵌着部３１側（図１中における左下側）を前方とし、後述する素子収容部３２側（図１中における右上側）を後方とする。加えて、図中における上側を上方とし、下側を下方とする。  
また、図中におけるプリント配線基板１０は、図示を簡略化するため、その一部分を切り抜いて図示している。
【００２９】
光伝送路において、光ファイバケーブル（図示省略）が接続されたオス型光コネクタ付ケーブル（図示省略）と通信対象装置とを接続する場合、光伝送路の接続部（図示省略）は、オス型光コネクタ付ケーブルにおけるオス型光コネクタ（図示省略）と、通信対象装置に内蔵されるメス型光コネクタ付基板１におけるメス型光コネクタ２０とで構成され、オス型光コネクタとメス型光コネクタ２０とを長手方向Ｘで凹凸嵌合して接続している。
【００３０】
オス型光コネクタ付ケーブルは、例えば、光ファイバケーブルの先端に接続端子（図示省略）を装着した２本の端子付光ファイバケーブル（図示省略）と、端子付光ファイバケーブルが装着されるとともに、後述するメス型コネクタハウジング３０と凹凸嵌合するオス型コネクタハウジング（図示省略）とで構成している。
【００３１】
一方、通信対象装置に内蔵されるメス型光コネクタ付基板１は、図１及び図２に示すように、プリント配線基板１０と、プリント配線基板１０に接続されたメス型光コネクタ２０とで構成している。
【００３２】
具体的には、プリント配線基板１０は、図３に示すように、絶縁性を有する略板状の絶縁板における板面上に電気回路パターン（図示省略）を形成するとともに、電気回路パターンに接続可能に開口した複数のスルーホール１１を有する形状に形成している。さらに、プリント配線基板１０には、後述するメス型コネクタハウジング３０を装着許容する２つのハウジング挿着孔１２と、後述するシールドケース４０を装着許容する２つのケース挿着孔１３とを形成している。
【００３３】
メス型光コネクタ２０は、図３及び図４に示すように、プリント配線基板１０に装着される絶縁性を有する樹脂製のメス型コネクタハウジング３０と、上方からメス型コネクタハウジング３０に被着した金属製のシールドケース４０と、メス型コネクタハウジング３０の内部に収容した受信用レンズ５０と、送信用レンズ６０と、ＦＯＴ（Fiber  Optical  Transceiver）７０とで構成している。
【００３４】
受信用レンズ５０は、オス型光コネクタ付ケーブルからの伝搬光を受光して、ＦＯＴ７０に伝送する機能を有している。  
送信用レンズ６０は、ＦＯＴ７０から発せられた光を集光して伝搬光としてオス型光コネクタ付ケーブルの光ファイバケーブルに伝送する機能を有している。
【００３５】
ＦＯＴ７０は、受信用レンズ５０を介して伝搬光を受光して電気信号に変換する受信素子と、電気信号を伝搬光に変換して送信用レンズ６０に向けて発信する送信素子とを一体にして構成するとともに、プリント配線基板１０のスルーホール１１に挿入する複数の接触子７１を備えている。
【００３６】
メス型コネクタハウジング３０は、図１、図３及び図４に示すように、オス型光コネクタ付ケーブルのオス型コネクタハウジングを長手方向Ｘにおける後方に向けて嵌着可能に形成した嵌着部３１と、ＦＯＴ７０を収容する素子収容部３２と、ＦＯＴ７０の後面を後方から保護する後面保護部３３とを一体にして形成している。
【００３７】
嵌着部３１は、幅方向Ｙにおける断面形状が略矩形の閉断面形状であって、長手方向Ｘに延設するとともに、後方の開口を閉塞する後壁部３１ａを備えた略ボックス状に形成している。さらに、嵌着部３１の上面には、後述するシールドケース４０の係止爪４１が係止する係止孔３１ｂを形成し、嵌着部３１の側面には、後述するシールドケース４０の嵌合部４２が嵌合する側面視略矩形の嵌合突部３１ｃを幅方向Ｙに突出して形成している。加えて、嵌着部３１の下面には、下方に延びる略円柱状で、プリント配線基板１０のハウジング挿着孔１２に挿入される固定軸部３４を形成している。
【００３８】
素子収容部３２は、ＦＯＴ７０を収容可能にして、嵌着部３１の後方に形成している。より詳しくは、素子収容部３２は、幅方向Ｙにおける断面形状が略門型形状であって、長手方向Ｘに延設するとともに、前方の開口を閉塞する前壁部３２ａと、前壁部３２ａの下端から後方に向けて略直角に延設した下面壁部３２ｂとを備えた形状に形成している。なお、素子収容部３２における後方の開口を、開口部３２ｃとする。
【００３９】
そして、嵌着部３１と素子収容部３２とは、嵌着部３１と素子収容部３２の内部空間を連通する略筒状の連通筒部３５を介して接続している。この連通筒部３５は、嵌着部３１と素子収容部３２の内部空間を連通するように、素子収容部３２の前壁部３２ａから嵌着部３１の内部空間に向けて延設して形成している。なお、連通筒部３５は、嵌着部３１の内部において、オス型光コネクタ付ケーブルの接続端子を挿入許容して保持し、素子収容部３２において受信用レンズ５０、及び送信用レンズ６０を挿入許容して保持する形状に形成している。
【００４０】
後面保護部３３は、素子収容部３２の開口部３２ｃを閉塞する本体部３６と、素子収容部３２と本体部３６とを接続する２つの接続部３７とで構成している。  
本体部３６は、素子収容部３２の開口部３２ｃを閉塞可能な大きさで所定の厚みを有する略平板形状の平板部３６ａと、組付け状態において、ＦＯＴ７０を下方より支持する支持突部３６ｂとを一体にして側面視略Ｌ字状に形成している。
【００４１】
接続部３７は、素子収容部３２における上面の後端から本体部３６に向けて延設した可撓性を有する略帯状に形成している。  
このようにメス型コネクタハウジング３０は、嵌着部３１、素子収容部３２、連通筒部３５、及び後面保護部３３を一体にして形成している。
【００４２】
シールドケース４０は、電磁波等を遮蔽する機能を有する金属製ケースであって、所定の厚みの金属板を打ち抜いてプレス成形し、メス型コネクタハウジング３０における上面、側面、及び後面を包囲する立体形状に形成している。さらに、シールドケース４０の前端には、嵌着部３１の係止孔３１ｂに係止する係止爪４１を形成し、シールドケース４０の側面には、嵌着部３１の嵌合突部３１ｃに嵌合する嵌合部４２を形成している。加えて、シールドケース４０には、プリント配線基板１０のケース挿着孔１３に挿着する脚部４３と、スルーホール１１に挿入する複数のケース接触子４４を下方に向けて形成している。
【００４３】
また、シールドケース４０の後面には、後面視において、幅方向Ｙに寝かせた略Ｕ字状で、幅方向Ｙに対向する２つのケース付勢部４５を、スリット状の開口によって形成している。このケース付勢部４５には、幅方向Ｙにおける先端に後面視略円状で前方に向けて突設した付勢突部４５ａを形成している。
【００４４】
次に、このような受信用レンズ５０、送信用レンズ６０、ＦＯＴ７０、メス型コネクタハウジング３０、及びシールドケース４０を組み付けてメス型光コネクタ２０を構成するとともに、メス型光コネクタ２０をプリント配線基板１０に装着してメス型光コネクタ付基板１を構成する方法について説明する。
【００４５】
まず、メス型コネクタハウジング３０における素子収容部３２の開口部３２ｃから、受信用レンズ５０、及び送信用レンズ６０をそれぞれ連通筒部３５に装着する。その後、素子収容部３２の開口部３２ｃから受信用レンズ５０、及び送信用レンズ６０に対応するようにＦＯＴ７０を収容する。この際、素子収容部３２の下面壁部３２ｂでＦＯＴ７０を下方から支持する。
【００４６】
そして、メス型コネクタハウジング３０の接続部３７を下方に向けて折り曲げて、後面保護部３３における支持突部３６ｂでＦＯＴ７０を下方から支持するとともに、平板部３６ａとＦＯＴ７０の後面とを長手方向Ｘで当接させる。
【００４７】
その後、受信用レンズ５０、送信用レンズ６０、及びＦＯＴ７０を収容したメス型コネクタハウジング３０に対して、上方から被せるようにしてシールドケース４０を装着する。より詳しくは、シールドケース４０の係止爪４１をメス型コネクタハウジング３０の係止孔３１ｂに係止するとともに、シールドケース４０の嵌合部４２をメス型コネクタハウジング３０の嵌合突部３１ｃに嵌合して、メス型コネクタハウジング３０にシールドケース４０を被着する。
【００４８】
この際、シールドケース４０は、メス型コネクタハウジング３０の後面保護部３３における平板部３６ａに、ケース付勢部４５の付勢突部４５ａが長手方向Ｘで当接することで、後面保護部３３を介してＦＯＴ７０を長手方向Ｘの前方に向けて付勢する。  
このようにして受信用レンズ５０、送信用レンズ６０、ＦＯＴ７０、メス型コネクタハウジング３０、及びシールドケース４０を組み付けてメス型光コネクタ２０を構成する。
【００４９】
引き続き、プリント配線基板１０に対して、このメス型光コネクタ２０を装着固定する。より詳しくは、メス型コネクタハウジング３０の固定軸部３４をハウジング挿着孔１２に挿着するとともに、プリント配線基板１０のスルーホール１１にＦＯＴ７０の接触子７１、及びシールドケース４０のケース接触子４４を挿通し、プリント配線基板１０のケース装着孔にシールドケース４０の脚部４３を挿通する。その後、ＦＯＴ７０の接触子７１、及びシールドケース４０のケース接触子４４をプリント配線基板１０の回路パターンに半田等で接続して、メス型光コネクタ付基板１を構成する。
【００５０】
以上のような構成のメス型光コネクタハウジング３０、及びメス型光コネクタ２０は、部品点数を削減するとともに、ＦＯＴ７０を容易に保護することができる。これにより、メス型コネクタハウジング３０は、ＦＯＴ７０を組み付ける際の組付け工数の削減、及びコストの増加を抑制することができる。
【００５１】
さらに、例えば、メス型コネクタハウジング１３０（図７参照）とは別体で構成したスペーサ１００（図７参照）などでＦＯＴ７０を保護する場合、スペーサの組み付け忘れが生じるおそれがあるのに対して、メス型コネクタハウジング３０にスペーサ―として機能する後面保護部３３を一体に形成したことにより、メス型コネクタハウジング３０は、ＦＯＴ７０を保護する部品の組み付け忘れが生じることを防止できる。
【００５２】
さらにまた、例えば、メス型コネクタハウジング１３０とは別体で構成したスペーサ１００でＦＯＴ７０を保護するとともに、メス型コネクタハウジング１３０にシールドケース４０を被せる場合、スペーサ１００が脱落しないようにメス型コネクタハウジング１３０にシールドケース４０を被せる必要がある。
【００５３】
これに対して、メス型コネクタハウジング３０に後面保護部３３を一体に形成したことにより、メス型コネクタハウジング３０は、後面保護部３３が脱落することがないため、シールドケース４０を容易に被せることができる。
【００５４】
これにより、ＦＯＴ７０を付勢するシールドケース４０でメス型コネクタハウジング３０を覆う際の組付け性の向上を図ることができる。  
従って、メス型コネクタハウジング３０、及びメス型光コネクタ２０は、部品点数を削減するとともに、組付け性を向上して、ＦＯＴ７０を容易に保護することができる。
【００５５】
また、本体部３６と接続部３７と構成した後面保護部３３で、素子収容部３２の開口部３２ｃを閉塞することにより、ＦＯＴ７０を組み付ける際のスペースを確保するとともに、開口部３２ｃを容易に閉塞することができる。より詳しくは、メス型コネクタハウジング３０にＦＯＴ７０を組み付ける際、素子収容部３２の開口部３２ｃによって、ＦＯＴ７０を素子収容部３２に容易に組み付けることができる。そして、可撓性の接続部３７を折り曲げることで、本体部３６でＦＯＴ７０を後方から保護することができる。
【００５６】
これにより、メス型コネクタハウジング３０は、素子収容部３２に後面保護部３３を一体に形成したことで、ＦＯＴ７０の組付け性が低下することを防止できる。  
従って、メス型コネクタハウジング３０は、部品点数を削減するとともに、ＦＯＴ７０の組み付け性を確保することができる。
【００５７】
また、後面保護部３３を後方から前方に向けて付勢するシールドケース４０により、後面保護部３３を介してメス型コネクタハウジング３０に収容保持したＦＯＴ７０を付勢することができる。このため、メス型光コネクタ２０は、メス型コネクタハウジング３０とＦＯＴ７０との相対的な位置ズレを抑制することができる。
【００５８】
従って、メス型光コネクタ２０は、シールドケース４０によって、ＦＯＴ７０を損傷することなく、メス型コネクタハウジング３０とＦＯＴ７０との相対的な位置ズレを確実に抑制することができる。
【００５９】
なお、上述の実施形態において、メス型コネクタハウジング３０に送信用レンズ６０、受信用レンズ５０、及びＦＯＴ７０を収容する構成としたが、これに限定せず、オス型コネクタハウジングに送信用レンズ６０、受信用レンズ５０、及びＦＯＴ７０を収容する構成としてもよい。
【００６０】
また、シールドケース４０をメス型コネクタハウジング３０の上面、側面、及び後面を覆う立体形状に形成したが、これに限定せず、メス型コネクタハウジング３０の素子収容部３２における上面、側面、及び後面を覆う立体形状としてもよい。  
また、受信素子と送信素子とを一体にして構成したＦＯＴ７０を用いて説明したが、これに限定せず、受信素子と送信素子とを別体で構成してもよい。あるいは、受信素子、もしくは送信素子のどちらか一方で構成してもよい。
【００６１】
また、メス型コネクタハウジング３０の後面保護部３３を介して、シールドケース４０のケース付勢部４５でＦＯＴ７０を付勢する構成としたが、これに限定せず、素子収容部３２の開口部３２ｃを閉塞するように素子収容部３２と一体に形成した後面保護部に、上述の実施形態におけるシールドケース４０のケース付勢部４５と同様にスリット状の開口によって形成した付勢部を設けて、組付け状態において後面保護部の付勢部によってＦＯＴ７０を長手方向Ｘの前方に向けて付勢してもよい。
【００６２】
例えば、別のメス型コネクタハウジング３０における後方視からの外観斜視図を示す図５のように、素子収容部３２の開口部３２ｃを閉塞するように形成した後面保護部３９に、上下方向に延びるスリット状に開口したスリット部３９ａを設けて付勢部３９ｂを形成してもよい。  
なお、図５におけるメス型コネクタハウジング３０の長手方向における断面形状は、上述の実施形態における図４と略同一のため、断面形状の図示を省略する。
【００６３】
さらに、シールドケース４０をメス型コネクタハウジング３０に被着して、ケース付勢部４５と、メス型コネクタハウジング３０の付勢部３９ｂとでＦＯＴ７０を付勢する構成としてもよい。
【００６４】
この際、付勢部３９ｂの付勢力とシールドケース４０の付勢力とが協働して、メス型コネクタハウジング３０とＦＯＴ７０との相対的な位置ズレを抑制することができる。
【００６５】
このため、メス型コネクタハウジング３０にＦＯＴ７０を組み付ける際、メス型コネクタハウジング３０における付勢部３９ｂの付勢力でＦＯＴ７０を仮組みすることができ、メス型コネクタハウジング３０からＦＯＴ７０が脱落することを阻止できる。そして、シールドケース４０の付勢力によって、ＦＯＴ７０を付勢して位置ズレを抑制することができる。
【００６６】
つまり、メス型コネクタハウジング３０にＦＯＴ７０、及びシールドケース４０を組み付ける際、メス型光コネクタ２０は、メス型コネクタハウジング３０における付勢部３９ｂの付勢力とシールドケース４０の付勢力とが協働することで、ＦＯＴ７０、及びシールドケース４０の組付け性を向上することができる。
【００６７】
これにより、メス型コネクタハウジング３０にＦＯＴ７０を付勢する付勢部３９ｂを備えた場合であっても、メス型光コネクタ２０は、ＦＯＴ７０、及びシールドケース４０の組付けを容易にするとともに、メス型コネクタハウジング３０とＦＯＴ７０との相対的な位置ズレを抑制することができる。
【００６８】
なお、図５において上下方向に延びるスリット部３９ａによって付勢部３９ｂを形成したが、別の付勢部３９ｂの例として、後面保護部３９における幅方向Ｙの一方の縁辺近傍において、下端から上方に向けて開口するとともに、後面保護部３９の上縁近傍から上縁と略平行に幅方向Ｙに開口した後方視略Ｌ字状のスリット部３９ａによって付勢部３９ｂを形成してもよい。
【００６９】
あるいは、後面保護部３９の略中央の下端から上方に向けて開口するとともに、後面保護部３９の上縁近傍で幅方向Ｙに開口した後方視略Ｔ字状のスリット部３９ａによって付勢部３９ｂを形成してもよい。  
もしくは、後方視において後面保護部３９の略中央に略門型に開口したスリット部３９ａによって付勢部３９ｂを形成してもよい。  
また、図５において、メス型コネクタハウジング３０の後面保護部３９に付勢部３９ｂを設けたが、付勢部３９ｂに付勢力を持たせず、後面保護部３９をスリット部３９ａによって揺動可能にして、シールドケース４０のケース付勢部４５でＦＯＴ７０を付勢する構成としてもよい。
【００７０】
この発明の構成と、上述の実施形態との対応において、
この発明の光信号は、実施形態の伝搬光に対応し、
以下同様に、
光学素子は、ＦＯＴ７０に対応し、
コネクタは、オス型コネクタに対応し、
コネクタハウジングは、メス型コネクタハウジング３０に対応し、
嵌着方向は、長手方向Ｘにおける後方側に対応し、
保護部は、後面保護部３３、後面保護部３９に対応し、
閉塞部は、本体部３６に対応し、
連結部は、接続部３７に対応し、
付勢手段は、付勢部３９ｂに対応し、
光コネクタは、メス型光コネクタ２０に対応し、
付勢部材は、シールドケース４０に対応するが、
この発明は、上述の実施形態の構成のみに限定されるものではなく、多くの実施の形態を得ることができる。
【００７１】
例えば、別のメス型光コネクタ２１における断面図を示す図６のように、付勢手段としてメス型コネクタハウジング８０における後面保護部８３に弾性片８８を備えたメス型光コネクタ２１としてもよい。
【００７２】
なお、メス型光コネクタ２１におけるメス型コネクタハウジング８０の嵌着部８１、素子収容部８２、開口部８２ｃ、固定軸部８４、及び連通筒部８５は、上述の実施形態におけるメス型コネクタハウジング３０の嵌着部３１、素子収容部３２、開口部３２ｃ、固定軸部３４、及び連通筒部３５と略同一構成のため、その詳しい説明を省略する。
【００７３】
具体的には、メス型コネクタハウジング８０の後面保護部８３は、開口部８２ｃを閉塞する側面視略Ｌ字状の本体部８６と、本体部８６と素子収容部８２を接続する接続部８７と、本体部８６におけるＦＯＴ７０側の面に一体に形成した弾性を有する弾性片８８とを一体にして形成している。
【００７４】
さらに、本体部８６における側面には、詳細な図示を省略した略円柱状の柱状突部８６ａを、幅方向Ｙに突出して形成している。  
また、素子収容部８２における内側面には、幅方向Ｙに凹設して後面保護部８３の柱状突部８６ａが嵌合する柱状嵌合部８９を形成している。
【００７５】
このような構成のメス型コネクタハウジング８０に対して、受信用レンズ５０、送信用レンズ６０、及びＦＯＴ７０を所定の位置に収容する。そして、メス型コネクタハウジング８０の接続部８７を、上述の実施形態と同様に、開口部８２ｃを本体部８６で閉塞するように下方に向けて折り曲げるとともに、後面保護部８３の柱状突部８３ａを、素子収容部８２の柱状嵌合部８９に嵌合して、メス型光コネクタ２１を構成する。この際、後面保護部８３の弾性片８８は、ＦＯＴ７０の後面と当接するとともに、その弾性力によりＦＯＴ７０を前方に向けて付勢する。
【００７６】
これにより、メス型コネクタハウジング８０は、上述の実施形態におけるシールドケース４０を不要にして、ＦＯＴ７０を付勢することができる。このため、メス型コネクタハウジング８０は、より部品点数を削減して、ＦＯＴ７０との相対的な位置ズレを抑制することができる。  
従って、メス型コネクタハウジング８０は、部品点数を削減して、ＦＯＴ７０を保護するとともに、後面保護部８３の弾性片８８によってＦＯＴ７０との位置ズレを抑制することができる。
【符号の説明】
【００７７】
２０…メス型光コネクタ
２１…メス型光コネクタ
３０…メス型コネクタハウジング
３１…嵌着部
３２…素子収容部
３２ｃ…開口部
３３…後面保護部
３６…本体部
３７…接続部
３９…後面保護部
３９ｂ…付勢部
４０…シールドケース
７０…ＦＯＴ
８０…メス型コネクタハウジング
８１…嵌着部
８２…素子収容部
８２ｃ…開口部
８３…後面保護部
８６…本体部
８７…接続部
８８…弾性片
【図１】
2014074857.tif 000003
【図２】
2014074857.tif 000004
【図３】
2014074857.tif 000005
【図４】
2014074857.tif 000006
【図５】
2014074857.tif 000007
【図６】
2014074857.tif 000008
【図７】
2014074857.tif 000009